(57)【要約】      （修正有）【課題】特に使用者の需要に応じて寝心地をよくするための、高さ及び角度を自由に調整することができる枕を提供する。【解決手段】角度の調整可能な枕は、ベース１０と、２つの高度調整仕組み２０と、角度調整仕組み３０と、枕仕組み４０とを有し、該ベースは、底板と、互いに平行するように底板に取り付けられる２つの固定板と、互いに平行すると共に該２つの固定板の間に位置する２つの支持板とを備え、該２つの高度調整仕組みはそれぞれ、該ベースに設置されると共に、一端が回転可能に固定板に取り付けられ、他端が回転可能に支持板に取り付けられる高度調整棒及び、該高度調整棒に螺設される高度調整部材を備え、該角度調整仕組みは、該ベースに設置されると共に、両端がそれぞれ２つの固定板に取り付けられる角度調整棒及び、該角度調整棒に螺設される角度調整部材を備え、該枕仕組みは、該２つの高度調整部材及び該角度調整部材に設置されるものである。【選択図】図１
0003209737.tif 000002
【実用新案登録請求の範囲】
【請求項１】
底板と、互いに平行するように底板に取り付けられる２つの固定板と、互いに平行すると共に該２つの固定板の間に位置する２つの支持板とを備える、ベースと、
それぞれ、前記ベースに設置されると共に、一端が回転可能に固定板に取り付けられ、他端が回転可能に支持板に取り付けられる高度調整棒及び、該高度調整棒に螺設される高度調整部材を備える、２つの高度調整仕組みと、
前記ベースに設置されると共に、両端がそれぞれ２つの固定板に取り付けられる角度調整棒及び、該角度調整棒に螺設される角度調整部材を備える、角度調整仕組みと、
前記２つの高度調整部材及び前記角度調整部材に設置される、枕仕組みと、を有することを特徴とする角度の調整可能な枕。
【請求項２】
前記高度調整部材は、螺合部と、アームと、第一支持部とを備え、該螺合部が移動可能に高度調整棒に螺設され、該アームが一端が螺合部に枢設され、該第一支持部がアームの他端に取り付けられ、
前記枕仕組みが第一支持部に取り付けられることを特徴とする請求項１に記載の角度の調整可能な枕。
【請求項３】
前記角度調整棒における、一方の外周面に順方向ネジ山が形成され、他方の外周面に逆方向ネジ山が形成され、
前記角度調整部材は、２つの螺合部と、２つのアームと、２つの支持部とを備え、そのうち、一方の螺合部が角度調整棒の順方向ネジ山に螺設され、他方の螺合部が角度調整棒の逆方向ネジ山螺設され、該２つのアームにおける、一端がそれぞれ対応する螺合部に枢設され、他端が互いに枢設され、該２つの支持部は、２つのアームの枢設する端に枢設され、
前記枕仕組みが支持部に取り付けられることを特徴とする請求項１に記載の角度の調整可能な枕。
【請求項４】
前記各固定板における、底板の近傍に第一穴が形成され、底板と離れる箇所に第二穴が形成され、
前記各支持板に第三穴が形成され、
前記高度調整棒における、一端が回転可能に固定板の第一穴に貫設され、他端が回転可能に支持板の第三穴に貫設され、
前記角度調整棒の両端がそれぞれ回転可能に２つの固定板の第二穴に貫設されることを特徴とする請求項１に記載の角度の調整可能な枕。
【請求項５】
前記枕仕組みは、１対の眠り板と、少なくとも１対の収納ケースと、少なくとも２対の連接柱と、１対の首支持棒を備え、該１対の眠り板がそれぞれ対応する高度調整部材及び角度調整部材に取り付けられ、該各収納ケースに収納凹部が凹設され、該少なくとも２対の連接柱がそれぞれ、対応する収納ケースの収納凹部に枢設され、前記首支持棒の数量が収納ケースの数量と一致し、該各首支持棒は、両端がそれぞれ収納ケースの収納凹部に枢設する１対の連接柱に枢設されると共に、選択可能に対応する収納ケースの収納凹部に配置されることを特徴とする請求項１に記載の角度の調整可能な枕。
【請求項６】
前記ベースはさらに、２つの保持板と、収容空間と、間隔板と、間隔空間とを備え、そのうち、２つの保持板が互いに間隔をおいて平行にすると共に固定板に垂直するように底板に設置され、該収容空間に、前記２つの支持板と、前記２つの高度調整棒と、前記角度調整棒が設置され、前記間隔板が２つの支持板に取り付けられ、前記間隔空間が２つの支持板と間隔板との間に形成され、また、該間隔空間に前記２つの高度調整棒が設置されることを特徴とする請求項１乃至５の何れか１項に記載の角度の調整可能な枕。
【請求項７】
前記高度調整棒がスクリューであり、該高度調整棒における固定板端に高度調整ボタンが設けられ、
前記角度調整棒がスクリューであり、該角度調整棒の両端にそれぞれ角度調整ボタンが設けられることを特徴とする請求項１乃至５の何れか１項に記載の角度の調整可能な枕。
【考案の詳細な説明】
【技術分野】
【０００１】
本考案は、特に使用者の需要に応じて寝心地をよくするための、高さ及び角度を自由に調整することができる枕に関するものである。
【背景技術】
【０００２】
睡眠が体に一番大事なことであり、いい眠りが出来れば、体が軽くて心も愉快になるため、睡眠の質を高まるために、頭の形状及び首の長さに合った枕を探して、快適な睡眠を取ることが重要である。
【０００３】
一方、人が合わない枕で寝ると、睡眠の質が低下して首に痛みが出る可能性もあり、例えば、高過ぎた枕で寝ると、首を前向きになって頸椎症の原因の一つとなり、また、首が前向きになったままで寝ると、血液が脳へ運び難く、脳の酸素量が供給不足となる。仰向け又は横向きで寝ると、首の一部の筋肉が凝り、首付近の筋肉が緊張しているため、リラックスすることが出来なくて首痛が出る問題もある。さらに、枕が低すぎれば、脳へ運び血液が多過ぎで、脳に充血して血圧が上り、体に悪影響を与える。
【考案の概要】
【考案が解決しようとする課題】
【０００４】
睡眠が大事なことで枕の選択が重要であるが、既存の枕が同じのように製造されるものであるので、人々の頭の形及び首の長さに合うことが出来なく、人が自分に合う枕を探すのが難しいである。
【課題を解決するための手段】
【０００５】
本考案の角度の調整可能な枕は、
底板と、互いに平行するように底板に取り付けられる２つの固定板と、互いに平行すると共に該２つの固定板の間に位置する２つの支持板とを備える、ベースと、
それぞれ、前記ベースに設置されると共に、一端が回転可能に固定板に取り付けられ、他端が回転可能に支持板に取り付けられる高度調整棒及び、該高度調整棒に螺設される高度調整部材を備える、２つの高度調整仕組みと、
前記ベースに設置されると共に、両端がそれぞれ２つの固定板に取り付けられる角度調整棒及び、該角度調整棒に螺設される角度調整部材を備える、角度調整仕組みと、
前記２つの高度調整部材及び前記角度調整部材に設置される、枕仕組みと、を有するものである。
【０００６】
かかる角度の調整可能な枕において、
前記高度調整部材は、螺合部と、アームと、第一支持部とを備え、該螺合部が移動可能に高度調整棒に螺設され、該アームが一端が螺合部に枢設され、該第一支持部がアームの他端に取り付けられ、
前記枕仕組みが第一支持部に取り付けられることが好ましい。
【０００７】
かかる角度の調整可能な枕において、
前記角度調整棒における、一方の外周面に順方向ネジ山が形成され、他方の外周面に逆方向ネジ山が形成され、
前記角度調整部材は、２つの螺合部と、２つのアームと、２つの支持部とを備え、そのうち、一方の螺合部が角度調整棒の順方向ネジ山に螺設され、他方の螺合部が角度調整棒の逆方向ネジ山に螺設され、該２つのアームにおける、一端がそれぞれ対応する螺合部に枢設され、他端が互いに枢設され、該２つの支持部は、２つのアームの枢設する端に枢設され、
前記枕仕組みが支持部に取り付けられることが好ましい。
【０００８】
かかる角度の調整可能な枕において、
前記各固定板における、底板の近傍に第一穴が形成され、底板と離れる箇所に第二穴が形成され、
前記各支持板に第三穴が形成され、
前記高度調整棒における、一端が回転可能に固定板の第一穴に貫設され、他端が回転可能に支持板の第三穴に貫設され、
前記角度調整棒の両端がそれぞれ回転可能に２つの固定板の第二穴に貫設されることが好ましい。
【０００９】
かかる角度の調整可能な枕において、
前記枕仕組みは、１対の眠り板と、少なくとも１対の収納ケースと、少なくとも２対の連接柱と、１対の首支持棒を備え、該１対の眠り板がそれぞれ対応する高度調整部材及び角度調整部材に取り付けられ、該各収納ケースに収納凹部が凹設され、該少なくとも２対の連接柱がそれぞれ、対応する収納ケースの収納凹部に枢設され、前記首支持棒の数量が収納ケースの数量と一致し、該各首支持棒は、両端がそれぞれ収納ケースの収納凹部に枢設する１対の連接柱に枢設されると共に、選択可能に対応する収納ケースの収納凹部に配置されることが好ましい。
【００１０】
かかる角度の調整可能な枕において、
前記ベースはさらに、２つの保持板と、収容空間と、間隔板と、間隔空間とを備え、そのうち、２つの保持板が互いに間隔をおいて平行にすると共に固定板に垂直するように底板に設置され、該収容空間に、前記２つの支持板と、前記２つの高度調整棒と、前記角度調整棒が設置され、前記間隔板が２つの支持板に取り付けられ、前記間隔空間が２つの支持板と間隔板との間に形成され、また、該間隔空間に前記２つの高度調整棒が設置されることが好ましい。
【００１１】
かかる角度の調整可能な枕において、
前記高度調整棒がスクリューであり、該高度調整棒における固定板端に高度調整ボタンが設けられ、
前記角度調整棒がスクリューであり、該角度調整棒の両端にそれぞれ角度調整ボタンが設けられることが好ましい。
【考案の効果】
【００１２】
本考案に係る角度の調整可能な枕は、高度調整仕組みによる一方の眠り板の高さを調整してもよく、角度調整仕組みによる両方の眠り板の高さを同時に調整してもよく、使用者が自由に調整して使用することができ、また、実際の需要に応じて自由自在に調整することができる。さらに、使用者が首支持棒の上昇も自由に選択することができ、首支持棒を上昇することによる首を支えて負担を減らしてきちんと休憩することもできるため、使用者がいい眠りを取ることが出来る。
【図面の簡単な説明】
【００１３】
【図１】本考案に係る角度の調整可能な枕の斜視図である。
【図２】本考案に係る角度の調整可能な枕における、枕仕組みを省略した部分分解斜視図である。
【図３】本考案に係る角度の調整可能な枕の部分分解斜視図である。
【図４】本考案に係る角度の調整可能な枕における枕仕組みの部分分解斜視図である。
【図５】本考案に係る角度の調整可能な枕の正面図である。
【図６】本考案に係る角度の調整可能な枕の端視平面図である。
【図７】本考案に係る角度の調整可能な枕の側面図である。
【図８】本考案に係る角度の調整可能な枕において、１対の眠り板との間の角度を小さくした状態を示す側面図である。
【図９】本考案に係る角度の調整可能な枕において、１対の眠り板の高さを低くした状態を示す側面図である。
【図１０】本考案に係る角度の調整可能な枕において、枕仕組みの首支持棒４４持ち上がった状態を示す側面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図６に示すように、本考案に係る角度の調整可能な枕は、ベース１０と、２つの高度調整仕組み２０と、角度調整仕組み３０と、枕仕組み４０とを有する。
【００１６】
前記ベース１０は、底板１１と、２つの保持板１２と、２つの固定板１３と、収容空間１４と、２つの支持板１５と、間隔板１６と、間隔空間１７とを備え、そのうち、２つの保持板１２は、互いに間隔をおいて平行にするように底板１１に設置され、該２つの固定板１３は、互いに平行すると共に２つの保持板１２の間かつその両端に位置するように底板１１に取り付けられ、その２つの保持板１２及び２つの固定板１３により矩形の空間を囲み、すなわち、保持板１２を矩形の長辺として、固定板１３を矩形の短辺とする矩形の空間を構成し、また、該各固定板１３における、底板１１の近傍に第一穴１３１が形成され、底板１１と離れる箇所に第二穴１３２が形成される。
【００１７】
前記収容空間１４は、２つの保持板１２と２つの固定板１３との間に形成され、前記２つの支持板１５は、互いに平行にすると共に２つの固定板１３の間に位置するように収容空間１４に設置され、該各支持板１５に第三穴１５１が形成され、前記間隔板１６は、２つの支持板１５に取り付けられ、前記間隔空間１７は、底板１１と２つの支持板１５と間隔板１６との間に形成される。
【００１８】
前記２つの高度調整仕組み２０はそれぞれ、ベース１０に設置され、該各高度調整仕組み２０は、高度調整棒２１及び高度調整部材２２を備え、該高度調整棒２１における、一端が回転可能に固定板１３の第一穴１３１に貫設され、他端が回転可能に支持板１５の第三穴１５１に貫設され、該高度調整棒２１における固定板１３から外側に突出する一端に高度調整ボタン２１１が設けられ、該高度調整棒２１がスクリューであることが好ましい。該高度調整部材２２は、高度調整棒２１に螺設され、螺合部２２１と、アーム２２２と、第一支持部２２３とを備え、該螺合部２２１は、移動可能に高度調整棒２１に螺設され、該アーム２２２は、一端が螺合部２２１に枢設され、その中間に通過穴２２４が形成され、該第一支持部２２３は、アーム２２２の他端に取り付けられる。
【００１９】
前記角度調整仕組み３０は、ベース１０に設置され、角度調整棒３１及び角度調整部材３２を備え、該角度調整棒３１は、２本の高度調整棒２１と平行に配列すると共に、両端がそれぞれアーム２２２の通過穴２２４を通過して回転可能に２つの固定板１３の第二穴１３２に貫設され、該角度調整棒３１の両端にそれぞれ角度調整ボタン３１１が設けられ、該角度調整ボタン３１１に、角度調整棒３１の内部に挿し込まれる結合端が延設される。また、該角度調整棒３１は、スクリューであり、一方の外周面に順方向ネジ山３１２が形成され、他方の外周面に逆方向ネジ山３１３が形成される。
該角度調整部材３２は、２つの螺合部３２１と、２つのアーム３２２と、２つの支持部３２３とを備え、そのうち、一方の螺合部３２１が角度調整棒３１の順方向ネジ山３１２に螺設され、他方の螺合部３２１が角度調整棒３１の逆方向ネジ山３１３螺設され、該２つのアーム３２２における一端がそれぞれ対応する螺合部３２１に枢設され、他端が互いに枢設され、該２つの支持部３２３は、互いに枢設すると共に該２つのアーム３２２の枢設する端に枢設される。
【００２０】
図３及び図４に示すように、前記枕仕組み４０は、２つの高度調整部材２２及び角度調整部材３２に設置され、少なくとも１対の眠り板４１と、少なくとも２対の収納ケース４２と、少なくとも４対の連接柱４３と、少なくとも２対の首支持棒４４とを備える。本実施例における枕仕組み４０は、１対の眠り板４１と、２対の収納ケース４２と、４対の連接柱４３と、２対の首支持棒４４を備えることが好ましい。
【００２１】
前記１対の眠り板４１はそれぞれ、対応する高度調整部材２２の第一支持部２２３及び角度調整部材３２の支持部３２３に取り付けられる。該各眠り板４１が長方形を呈する。前記２対の収納ケース４２はそれぞれ、１対の眠り板４１に配置され、すなわち、該１対の収納ケース４２はそれぞれ、一方の眠り板４１の両側長辺に配置される。該各収納ケース４２に収納凹部４２１が凹設される。前記４対の連接柱４３はそれぞれ、２対の収納ケース４２の収納凹部４２１に枢設され、すなわち、該各収納凹部４２１に１対の連接柱４３が枢設され、具体的には、該各収納凹部４２１の両端にそれぞれ１本の連接柱４３が枢設される。前記２対の首支持棒４４は、上下昇降可能且つ選択可能に２対の収納ケース４２の収納凹部４２１に配置され、該各首支持棒４４の両端がそれぞれ、収納ケース４２の収納凹部４２１に枢設する１対の連接柱４３に枢設される。
【００２２】
本考案に係る角度の調整可能な枕を操作する時、使用者が角度調整仕組み３０を操作して１対の眠り板４１との間の角度を調整し、そのうち、角度調整棒３１の角度調整ボタン３１１を回転すると、一方の螺合部３２１が順方向ネジ山３１２に沿って摺動しながら、他方の螺合部３２１が逆方向ネジ山３１３に沿って摺動すると共に、両方の螺合部３２１が互いに接近したり離れたりして移動することが出来る。
【００２３】
図７及び図８に示すように、本考案に係る角度の調整可能な枕において、その１対の眠り板４１との間の角度を小さくし、すなわち、１対のアーム３２２との間の角度を大きくする場合に、使用者が角度調整棒３１の角度調整ボタン３１１を回転して、両方の螺合部３２１をそれぞれ対応する角度調整棒３１に沿って互いに離れるように摺動させると、該１対の眠り板４１を所望の角度まで調整することができる。
【００２４】
本考案に係る角度の調整可能な枕において、他の操作方法を行う場合に、使用者が角度調整棒３１の角度調整ボタン３１１を逆方向に回転して、１対のアーム３２２を互いに接近するように摺動させ、１対のアーム３２２との間の角度を小さくしながら、１対の眠り板４１との間の角度を大きくなる。
【００２５】
一方、使用者が高度調整仕組み２０を操作して一方の眠り板４１の高さを調整する場合に、高度調整棒２１の高度調整ボタン２１１を回転して、螺合部２２１を高度調整棒２１に沿って水平に摺動させながら、アーム２２２を連動して枢転させると、眠り板４１の高さを調整することができる。
【００２６】
図７及び図９に示すように、上述した操作に基づいて、１対の眠り板４１の高さを低くする場合に、まず、高度調整棒２１の高度調整ボタン２１１を回転して、螺合部２２１を角度調整仕組み３０と接近するように水平に摺動させながら、眠り板４１における高度調整仕組み２０がある一端が底板１１と接近するように移動し、そして、角度調整棒３１の角度調整ボタン３１１を回転し、１対の螺合部３２１を互いに離れるように摺動させながら、眠り板４１における角度調整仕組み３０がある一端が底板１１と接近するように移動し、それによれば、１対の眠り板４１との間の角度を調整して該１対の眠り板４１を水平状になると、該１対の眠り板４１の高さを低くする。
【００２７】
上述した操作に基づいて、１対の眠り板４１の高さを高くする場合に、まず、高度調整棒２１の高度調整ボタン２１１を逆回転して、螺合部２２１を角度調整仕組み３０と離れるように水平に摺動させながら、眠り板４１における高度調整仕組み２０がある一端が底板１１と離れるように移動し、そして、角度調整棒３１の角度調整ボタン３１１も逆回転して、１対の螺合部３２１を互いに接近するように摺動させながら、眠り板４１における角度調整仕組み３０がある一端が底板１１と離れるように移動し、それによれば、１対の眠り板４１との間の角度を調整して該１対の眠り板４１を水平状になると、該１対の眠り板４１の高さを高くする。
【００２８】
さらに、図１０に示すように、本考案に係る角度の調整可能な枕において、首を支えて使用する場合に、使用者が枕仕組み４０の首支持棒４４を持ち上がって、連接柱４３を収納ケース４２に当接するまで上方に枢動させると、首支持棒４４を収納凹部４２１から離れて眠り板４１の上方に上昇させるため、使用者の首を支える効果を提供する。本考案に係る角度の調整可能な枕は、使用者の好みに応じて、多くの角度に自由に調整することができることから、寝心地をよくする枕である。
【００２９】
本考案に係る角度の調整可能な枕は、高度調整仕組み２０による一方の眠り板４１の高さを調整してもよく、角度調整仕組み３０による両方の眠り板４１の高さを同時に調整してもよく、使用者が自由に調整して使用することができ、また、実際の需要に応じて自由自在に調整することができる。さらに、使用者が首支持棒４４の上昇を自由に選択することができ、首支持棒４４を上昇することによる首を支えて負担を減らしてきちんと休憩することもできるため、使用者がいい眠りを取ることが出来る。
【符号の説明】
【００３０】
１０      ベース
１１      底板
１２      保持板
１３      固定板
１３１    第一穴
１３２    第二穴
１４      収容空間
１５      支持板
１５１    第三穴
１６      間隔板
１７      間隔空間
２０      高度調整仕組み
２１      高度調整棒
２１１    高度調整ボタン
２２      高度調整部材
２２１    螺合部
２２２    アーム
２２３    第一支持部
２２４    通過穴
３０      角度調整仕組み
３１      角度調整棒
３１１    角度調整ボタン
３１２    順方向ネジ山
３１３    逆方向ネジ山
３２      角度調整部材
３２１    螺合部
３２２    アーム
３２３    支持部
４０      枕仕組み
４１      眠り板
４２      収納ケース
４２１    収納凹部
４３      連接柱
４４      首支持棒
【図１】
0003209737.tif 000003
【図２】
0003209737.tif 000004
【図３】
0003209737.tif 000005
【図４】
0003209737.tif 000006
【図５】
0003209737.tif 000007
【図６】
0003209737.tif 000008
【図７】
0003209737.tif 000009
【図８】
0003209737.tif 000010
【図９】
0003209737.tif 000011
【図１０】
0003209737.tif 000012